(57)【要約】【課題】素早く折り畳み可能な表示装置を提供する。【解決手段】表示パネルと、部材と、第１の固定部と、第２の固定部と、巻き取り部と、を有する表示装置。表示装置は、表示パネルを折り曲げない状態で画像を表示する第１の状態と、表示パネルを折り曲げた状態で画像を表示する第２の状態と、を選択することができる機能を有する。表示パネルは第１の固定部及び第２の固定部に固定される。部材の一端は第１の固定部に固定される。部材の他端は巻き取り部と接続される。巻き取り部は部材の他端から部材を巻き取ることができる機能を有する。部材が巻き取られることによって表示パネルが折り曲げられる。巻き取られた部材を巻き取り部から引き出すことによって表示パネルが広げられる。【選択図】図１
2020013163.tif 000002
【特許請求の範囲】
【請求項１】
表示パネルと、部材と、第１の固定部と、第２の固定部と、巻き取り部と、を有し、
前記部材は、前記表示パネルを保護する機能を有し、
前記部材は、面状、帯状、または、線状であり、
前記表示パネルは、折り曲げない状態で画像を表示する第１の状態と、折り曲げた状態で画像を表示する第２の状態と、を選択することができる機能を有し、
前記表示パネルは、前記第１の固定部及び前記第２の固定部に固定され、
前記部材の一端は、前記第１の固定部に固定され、
前記部材の他端は、前記巻き取り部と接続され、
前記巻き取り部は、前記部材の他端から前記部材を巻き取ることができる機能を有し、
前記部材が巻き取られることによって、前記表示パネルが折り曲げられ、
巻き取られた前記部材を前記巻き取り部から引き出すことによって、前記表示パネルを広げる表示装置。
【請求項２】
請求項１において、
前記表示パネルは、エレクトロルミネッセンス素子を用いた画素を有する表示装置。
【請求項３】
請求項１又は請求項２において、
前記表示パネルは、トランジスタを用いて構成され、
前記トランジスタは、酸化物半導体を有する表示装置。
【発明の詳細な説明】
【技術分野】
【０００１】
本発明は、物、方法、または、製造方法に関する。または、本発明は、プロセス、マシン
、マニュファクチャ、または、組成物（コンポジション・オブ・マター）に関する。特に
、本発明は、例えば、半導体装置、表示装置、発光装置、照明装置、蓄電装置、それらの
駆動方法、または、それらの製造方法に関する。
【背景技術】
【０００２】
携帯可能な表示装置が盛んに開発されている。
【０００３】
例えば、携帯可能な表示装置は屋外で使用されることが多く、落下により思わぬ力が表示
装置に加わることがある。破壊されにくい表示装置の一例として、発光層を分離する構造
体と第２の電極層との密着性が高められた構成が知られている（特許文献１）。
【先行技術文献】
【特許文献】
【０００４】
【特許文献１】特開２０１２−１９０７９４号公報
【発明の概要】
【発明が解決しようとする課題】
【０００５】
本発明の一態様は、折り畳み可能な表示装置を提供することを課題の一とする。または、
展開可能な表示装置を提供することを課題の一とする。または、新規な表示装置を提供す
ることを課題の一とする。
【０００６】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【０００７】
本発明の表示装置の一態様は、表示パネルと、部材と、第１の固定部と、第２の固定部と
、巻き取り部と、を有する。表示装置は、表示パネルを折り曲げない状態で画像を表示す
る第１の状態と、表示パネルを折り曲げた状態で画像を表示する第２の状態と、を選択す
ることができる機能を有する。表示パネルは第１の固定部及び第２の固定部に固定される
。部材の一端は第１の固定部に固定される。部材の他端は巻き取り部と接続される。巻き
取り部は部材の他端から部材を巻き取ることができる機能を有する。部材が巻き取られる
ことによって表示パネルが折り曲げられる。巻き取られた部材を巻き取り部から引き出す
ことによって表示パネルが広げられる。
【０００８】
巻き取り部は、部材の一部を収納する機能を有する。巻き取り部は、部材の一部を巻き取
って（ｒｏｌｌ  ｕｐ、ｒｅｅｌ）、収納する機能を有する。
【０００９】
本発明の表示装置の一態様は、表示パネルを折り曲げない状態で画像を表示する第１の状
態と、表示パネルを３つに折り曲げた状態で画像を表示する第２の状態と、を選択するこ
とができる機能を有していてもよい。本発明の表示装置の一態様は、表示パネルを折り曲
げない状態で画像を表示する第１の状態と、表示パネルを１回以上折り曲げた状態で画像
を表示する第２の状態と、を選択することができる機能を有していてもよい。
【００１０】
表示パネルは、エレクトロルミネッセンス素子を用いた画素を有していてもよい。表示パ
ネルは、タッチパネルとしての機能を有していてもよい。表示パネルは、トランジスタを
用いて構成されていてもよい。トランジスタは、シリコンを用いたトランジスタであって
もよい。トランジスタは、酸化物半導体を用いたトランジスタであってもよい。酸化物半
導体は、インジウムとガリウムと亜鉛とを含む酸化物であってもよい。
【００１１】
部材は、タッチパネルとしての機能を有していてもよい。部材は、表示パネルを保護する
機能を有していてもよい。部材は、面状であってもよいし、帯状であってもよいし、線状
であってもよい。
【発明の効果】
【００１２】
本発明の一態様によれば、折り畳み可能な表示装置を提供できる。または、展開可能な表
示装置を提供できる。本発明の一態様によれば、素早く折り畳み可能な表示装置を提供で
きる。
【図面の簡単な説明】
【００１３】
【図１】実施の形態に係る表示装置の構成を説明する図。
【図２】実施の形態に係る表示装置の構成を説明する図。
【図３】実施の形態に係る表示装置の構成を説明する図。
【図４】実施の形態に係る表示装置の構成を説明する図。
【図５】実施の形態に係る表示装置の構成を説明する図。
【図６】実施の形態に係る表示装置の構成を説明する図。
【図７】実施の形態に係る表示装置の構成を説明する図。
【図８】実施の形態に係る表示装置の構成を説明する図。
【図９】実施の形態に係る表示装置に適用することができる入出力装置の構成を説明する図。
【図１０】実施の形態に係る表示装置に適用することができる入出力装置の構成を説明する図。
【図１１】実施の形態に係る表示装置に適用することができる入出力装置の構成を説明する図。
【図１２】実施の形態に係る表示装置に適用することができる入出力装置の構成を説明する図。
【図１３】実施の形態に係る電子機器の構成を説明する図。
【発明を実施するための形態】
【００１４】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。なお、以下に説明する発明の構成において
、同一部分又は同様な機能を有する部分には同一の符号を異なる図面間で共通して用い、
その繰り返しの説明は省略する。
【００１５】
（実施の形態１）
本実施の形態では、本発明の一態様の表示装置の構成について説明する。説明には図１及
び図２を用いる。
【００１６】
表示装置の斜視図を図１に示す。図１（Ａ）は表示装置を折り畳まない状態を示し、図１
（Ｃ）は、表示装置を３つに折り畳んだ状態を示し、図１（Ｂ）は表示装置を折り畳む過
程を示している。表示装置の断面図を図２に示す。図２（Ａ）は、図１（Ａ）において白
矢印の方向からみた断面図に対応し、図２（Ｂ）は、図１（Ｂ）において白矢印の方向か
らみた断面図に対応し、図２（Ｃ）は、図１（Ｃ）において白矢印の方向からみた断面図
に対応する。
【００１７】
図１（Ａ）及び図２（Ａ）において、表示装置は、表示パネル１００と、部材２００と、
固定部３０ａと、固定部３０ｂと、巻き取り部３１と、を有する。表示パネル１００はフ
レキシブルな構成とする。また、部材２００もフレキシブルな構成とする。
【００１８】
表示パネル１００は、図１（Ａ）及び図２（Ａ）の状態で画像等を表示する第１の状態と
、図１（Ｃ）及び図２（Ｃ）の状態で画像等を表示する第２の状態とを選択することがで
きる。なお、表示パネル１００は、図１（Ａ）及び図２（Ａ）の状態で画像等を表示する
第１の状態と、図１（Ｃ）及び図２（Ｃ）の状態で画像等を表示する第２の状態と、図１
（Ｂ）及び図２（Ｂ）の状態で画像等を表示する第３の状態とを選択することができる機
能を有していてもよい。
【００１９】
第２の状態において、部材２００を介して表示パネル１００が視認される領域（約１／３
の領域）においてのみ表示パネル１００は画像表示を行い、表示パネル１００の他の領域
は、画像表示を行わない構成とすることができる。こうして、第２の状態において、表示
パネル１００のうち画像表示が不要な部分（約２／３の領域に対応）の表示を行わないよ
うにして、表示装置の消費電力を低減することが可能である。
【００２０】
表示装置は、表示装置の状態が第２の状態（折り畳まれた状態）であるか否かを検知する
手段を有していてもよい。検知手段としては、例えば、近接センサや光センサを用いるこ
とができる。
【００２１】
近接センサを用いる場合、アームやヒンジにおいて、第１の状態や第３の状態では他のア
ームや他のヒンジと離れた領域であって、第２の状態のときに他のアームや他のヒンジと
の距離が所定の距離以下となる領域に、近接センサを設けて第２の状態を検知してもよい
。
【００２２】
光センサを用いる場合、部材２００において、第１の状態や第３の状態では巻き取り部３
１に巻き取られない領域であって、第２の状態のときに巻き取り部３１に巻き取られる領
域に、光センサを設けて第２の状態を検知してもよい。光センサにおける検出光の有無ま
たは強弱によって、表示装置が第２の状態であるか否かを検知することができる。または
、アームやヒンジにおいて、第１の状態や第３の状態では他のアームや他のヒンジと重な
らない領域であって、第２の状態のときに他のアームや他のヒンジと重なる領域に、光セ
ンサを設けて第２の状態を検知してもよい。光センサにおける検出光の有無または強弱に
よって、表示装置が第２の状態であるか否かを検知することができる。
【００２３】
表示パネル１００は固定部３０ａ及び固定部３０ｂに固定される。部材２００の一端は固
定部３０ａに固定される。部材２００の他端は巻き取り部３１と接続される。巻き取り部
３１は部材２００の他端から部材２００を巻き取ることができる機能を有する。ボタン操
作やハンドル操作によって、巻き取り部３１が部材２００を巻き取る構成とすることがで
きる。図１（Ａ）及び図２（Ａ）から図１（Ｂ）及び図２（Ｂ）を経て図１（Ｃ）及び図
２（Ｃ）に至るように、部材２００が巻き取られることによって表示パネル１００が３つ
に折り曲げられて、表示装置が折り畳まれる。図１（Ｃ）及び図２（Ｃ）から図１（Ｂ）
及び図２（Ｂ）を経て図１（Ａ）及び図２（Ａ）に至るように、巻き取られた部材２００
を巻き取り部３１から引き出すことによって表示パネル１００が広げられて、表示装置が
展開される。表示装置は、部材２００を巻き取ることによって折り畳むので、素早く表示
装置を折り畳むことができる。
【００２４】
図１や図２において、表示パネル１００と部材２００の一端とは、共に固定部３０ａに固
定されているが、これに限定されない。表示パネル１００と部材２００の一端とは、異な
る固定部に固定されていてもよい。
【００２５】
図１や図２では、表示パネル１００を３つに折り曲げる構成を示したが、本発明はこれに
限定されない。表示装置は、表示パネルを折り曲げない状態で画像を表示する第１の状態
と、表示パネルを１回以上折り曲げた状態で画像を表示する第２の状態と、を選択するこ
とができる機能を有していてもよい。
【００２６】
部材２００は、タッチパネルとしての機能を有していてもよい。部材２００は、表示パネ
ル１００を保護する機能を有していてもよい。部材２００は、図１や図２に示すように、
面状であってもよいし、図８に示すように、帯状であってもよいし、線状であってもよい
。帯状や線状の部材２００とする場合には、表示パネル１００の画像表示を行わない領域
と重なるように、部材２００を配置することが好ましい。例えば、表示パネル１００の画
素が設けられた領域（以下、画素部ともいう。表示領域ともいう。表示部ともいう。）の
周辺（以下、表示パネルの周縁領域ともいう。）に設けられる駆動回路と重なるように、
部材２００を設けることが好ましい。
【００２７】
表示パネル１００は、エレクトロルミネッセンス素子を用いた画素を有していてもよい。
表示パネル１００は、タッチパネルとしての機能を有していてもよい。表示パネル１００
は、トランジスタを用いて構成されていてもよい。トランジスタは、シリコンを用いたト
ランジスタであってもよい。トランジスタは、酸化物半導体を用いたトランジスタであっ
てもよい。酸化物半導体は、インジウムとガリウムと亜鉛とを含む酸化物であってもよい
。
【００２８】
図１及び図２において、表示パネル１００の折り曲げを補助する部材として、アーム１ａ
、アーム１ｂ、アーム２ａ、アーム２ｂ、アーム３ａ、アーム３ｂ、屈折部１０ａ、屈折
部１０ｂ、屈折部１１ａ、屈折部１１ｂが設けられている。屈折部１０ａは、ヒンジ２０
ａを有する。屈折部１０ｂは、ヒンジ２０ｂを有する。屈折部１１ａは、ヒンジ２０ｃを
有する。屈折部１１ｂは、ヒンジ２０ｄを有する。
【００２９】
ここでヒンジは、２つのアームを接続し、両アームをその長軸方向を含む面内で回転させ
ることができる機能を有する部材ということもできる。
【００３０】
アーム１ａの一端は固定部３０ａと接続され、他端は屈折部１０ａと接続されている。ア
ーム２ａの一端は屈折部１０ａと接続され、他端は屈折部１１ａと接続されている。アー
ム３ａの一端は屈折部１１ａと接続され、他端は固定部３０ｂと接続されている。アーム
１ｂの一端は固定部３０ａと接続され、他端は屈折部１０ｂと接続されている。アーム２
ｂの一端は屈折部１０ｂと接続され、他端は屈折部１１ｂと接続されている。アーム３ｂ
の一端は屈折部１１ｂと接続され、他端は固定部３０ｂと接続されている。
【００３１】
アーム１ａと屈折部１０ａとアーム２ａと屈折部１１ａとアーム３ａとでなる構造は、表
示パネル１００の第１の辺に沿って設けられる。アーム１ｂと屈折部１０ｂとアーム２ｂ
と屈折部１１ｂとアーム３ｂとでなる構造は、表示パネル１００の第２の辺に沿って設け
られる。第１の辺と第２の辺は、対向する辺である。言い換えると、アーム１ａと屈折部
１０ａとアーム２ａと屈折部１１ａとアーム３ａとでなる構造と、アーム１ｂと屈折部１
０ｂとアーム２ｂと屈折部１１ｂとアーム３ｂとでなる構造と、によって表示パネル１０
０が挟まれた構成となっている。アーム１ａの長軸方向の長さとアーム１ｂの長軸方向の
長さとは概略同じとし、アーム２ａの長軸方向の長さとアーム２ｂの長軸方向の長さとは
概略同じとし、アーム３ａの長軸方向の長さとアーム３ｂの長軸方向の長さとは概略同じ
とする。屈折部１０ａと屈折部１０ｂとは表示パネル１００を挟んで対向する位置に設け
られ、屈折部１１ａと屈折部１１ｂとは表示パネル１００を挟んで対向する位置に設けら
れる。ヒンジ２０ａとヒンジ２０ｂとは表示パネル１００を挟んで対向する位置に設けら
れ、ヒンジ２０ｃとヒンジ２０ｄとは表示パネル１００を挟んで対向する位置に設けられ
る。
【００３２】
なお、アーム１ａ、アーム１ｂ、アーム２ａ、アーム２ｂ、アーム３ａ、アーム３ｂの形
状は、図１や図２に示したものに限定されない。アームの形状は細長く平らな形状であっ
てもよいし、棒状であってもよいし、筒状であってもよい。また、一部が枠状または曲面
状であってもよい。アームの形状を一部が枠状または曲面状となったものとする場合には
、屈折部の動きを妨げないように、屈折部周辺を除く領域を枠状または曲面状とすること
が好ましい。アームの形状を一部が枠状または曲面状となったものとすることによって、
表示パネル１００の周縁領域の保護や、遮光、水やごみ等の不純物からの遮蔽をすること
ができる。また、表示パネル１００の下方において、対向するアーム同士がつながってい
てもよい。但し、屈折部の動きを妨げないように、屈折部周辺を除いた領域で対向するア
ーム同士がつながった構成とする。対向するアーム同士をつなげることによって、表示パ
ネル１００の背面の保護や、遮光、水やごみ等の不純物からの遮蔽をすることが可能とな
る。
【００３３】
表示パネル１００が上に凸となるように折り曲げられる位置に対応して設けられるヒンジ
２０ａ及び２０ｂは、表示パネル１００が逆方向に折り曲げられることを防ぐ機能を有し
ていてもよい。つまり、ヒンジ２０ａ及び２０ｂは、表示パネル１００が下に凸となるよ
うに折り曲げられることを防ぐ機能を有していてもよい。表示パネル１００が下に凸とな
るように折り曲げられる位置に対応して設けられるヒンジ２０ｃ及び２０ｄは、表示パネ
ル１００が上に凸となるように折り曲げられることを防ぐ機能を有していてもよい。例え
ば、ヒンジ２０ａは、アーム１ａがヒンジ２０ａを中心として、図２（Ａ）の状態から左
方向（反時計まわり）にしか回らないようにする機能を有していてもよい。ヒンジ２０ｂ
も同様の機能を有することができる。ヒンジ２０ｃは、アーム３ａがヒンジ２０ｃを中心
として、図２（Ａ）の状態から、左方向（反時計まわり）にしか回らないようにする機能
を有していてもよい。ヒンジ２０ｄも同様の機能を有することができる。このように、ヒ
ンジの回転を一部制御する等によって、フレキシブルな表示パネル１００を用いた場合に
おいても、展開した状態（図１（Ａ）及び図２（Ａ））における表示パネル１００の形状
を安定にすることが可能となる。
【００３４】
なお表示装置は、表示パネル１００などに信号を出力する制御回路や、蓄電装置、メモリ
等を更に有していてもよい。例えば、図７に示すように、表示装置は制御回路７００を有
していてもよい。制御回路７００はＦＰＣ等を介して表示パネル１００と電気的に接続さ
れる構成とすることができる。制御回路７００は画像表示の妨げとならないように、表示
パネル１００の背面に設けられる。更に、表示パネル１００の折り曲げの妨げとならない
ように、巻き取り部３１と、巻き取り部３１に一番近い屈折部１１ａ及び屈折部１１ｂと
の間の領域に配置される。
【００３５】
以上のとおり、本発明の一態様により折り畳み可能な表示装置を提供できる。展開可能な
表示装置を提供できる。素早く折り畳み可能な表示装置を提供できる。
【００３６】
なお、本実施の形態は、本明細書で示す他の実施の形態と適宜組み合わせることができる
。
【００３７】
（実施の形態２）
本実施の形態では、表示パネル１００の折り曲げを補助する部材の一態様を示す。説明に
は、図３及び図４を用いる。図３及び図４において、図１、図２と同じ部分は説明を省略
する。
【００３８】
表示パネル１００を折り曲げるのを補助するため、アームやヒンジに、表示パネル１００
を支持する機能を有する構造（以下、支持部とも言う。）を設けることができる。例えば
、支持部は、表示パネル１００と接する、突起とすることができる。突起は、円柱状とす
ることができる。支持部は、円形外周をもち、円の中心を軸として回転可能な構造とする
ことができる。支持部は、表示パネル１００の折り曲げ時に、表示パネル１００の断面に
垂直な方向の軸を中心として回転可能な構造とすることができる。
【００３９】
図３（Ａ）は図２（Ａ）において、表示パネル１００を折り曲げるのを補助するため、ア
ーム１ａに支持部３３ａを設け、アーム３ａに支持部３３ｂを設けた例である。なお、実
際には、対向する側のアームにも、同様に支持部を設ける。つまり、アーム１ｂに支持部
を設け、アーム３ｂに支持部を設ける。
【００４０】
図３（Ａ）において、表示パネル１００が上に凸となるように折り曲げられる領域の周辺
において、表示パネル１００の下方に支持部３３ａが設けられる。また、表示パネル１０
０が下に凸となるように折り曲げられる領域の周辺において、表示パネル１００の上方に
支持部３３ｂが設けられる。このように、支持部を設けることによって、表示パネル１０
０の折り曲げを補助することができる。
【００４１】
図３（Ａ）では、アーム１ａに支持部３３ａを設け、アーム３ａに支持部３３ｂを設けた
例を示したが、これに限定されない。例えば、図３（Ｂ）のように、アーム２ａに支持部
３４ａ、支持部３４ｂを設けてもよい。なお、実際には、対向する側のアーム２ｂにも、
同様に支持部を設ける。支持部は、屈折部に対して少なくとも１つずつ配置することがで
きる。支持部は、ヒンジに対して少なくとも１つずつ配置することもできる。なお、支持
部は、ヒンジの上に配置することも可能である。
【００４２】
屈折部（または、ヒンジ）に対して２つずつ支持部を設けることもできる。例えば、図３
（Ｃ）に示すように、アーム１ａに支持部３５ａを設け、アーム２ａに支持部３５ｂと支
持部３５ｃを設け、アーム３ａに支持部３５ｄを設けることもできる。なお、実際には、
対向する側のアームにも、同様に支持部を設ける。ここで、表示パネル１００が上に凸に
なるように折り曲げる部分に対応した屈折部１０ａの周辺に設けられた２つの支持部（支
持部３５ａと支持部３５ｂ）の間隔３６ａと、表示パネル１００が下に凸になるように折
り曲げる部分に対応した屈折部１１ａの周辺に設けられた２つの支持部（支持部３５ｃと
支持部３５ｄ）の間隔３６ｂとを、異ならせてもよい。表示パネル１００を折り曲げる場
合に、表示パネル１００の構造によって、上に凸になるように折り曲げる場合と、下に凸
になるように折り曲げる場合とで、表示パネル１００の耐久性が異なることがある。そし
て、表示パネル１００を折り曲げる場合に曲げ部の曲率半径が小さい程、局所的に大きな
力が加わるため、表示パネル１００が劣化や破損する危険性が高い。そこで、より耐久性
の低い折り曲げ方の場合に、曲げ部の曲率半径が大きくなるようにすることが好ましい。
例えば、上に凸になるように表示パネル１００を折り曲げる場合に、下に凸になるように
表示パネル１００を折り曲げる場合よりも不良等が発生しやすいとき、間隔３６ａを間隔
３６ｂよりも大きくすることが好ましい。それによって、表示パネル１００を折り曲げた
際に、支持部３５ａと支持部３５ｂとの間における表示パネル１００の曲率半径を、支持
部３５ｃと支持部３５ｄとの間における表示パネル１００の曲率半径よりも大きくするこ
とが可能となる。こうして、表示パネル１００の不良を抑制しつつ、表示装置をできるだ
けコンパクトに折り畳むことが可能となる。
【００４３】
なお、表示パネル１００の折り曲げを補助する支持部のみでなく、部材２００と表示パネ
ル１００とが擦れあうのを抑制するための支持部を設けることができる。例えば、表示パ
ネル１００を折り曲げない状態において、表示パネル１００と部材２００との間に配置さ
れるように支持部を設けることができる。支持部は、突起とすることができる。突起は、
円柱状とすることができる。支持部は、円形外周をもち、円の中心を軸として回転可能な
構造とすることができる。支持部は、表示パネル１００の折り曲げ時に、表示パネル１０
０の断面に垂直な方向の軸を中心として回転可能な構造とすることができる。例えば、図
３（Ｄ）のように、支持部３４ａ、支持部３４ｂ、支持部３７ａを設けることができる。
なお、実際には、対向する側のアームにも、同様に支持部を設ける。図３（Ｄ）は、図３
（Ｂ）において、支持部３７ａを追加した構成に相当する。支持部３７ａは、部材２００
と表示パネル１００とが擦れあうのを抑制する機能を有する。支持部３４ｂは、表示パネ
ル１００が下に凸となるように曲がるのを補助する機能と共に、部材２００と表示パネル
１００とが擦れあうのを抑制する機能を有する。
【００４４】
ここで、表示パネル１００を折り曲げない状態において、表示パネル１００と部材２００
とはできるだけ近接して配置されることが好ましい。また、表示パネル１００を折り曲げ
た状態においても、表示パネル１００と部材２００とが概略平行に設けられる領域（例え
ば、図２においてアーム１ａに対応する領域等）では、表示パネル１００と部材２００と
はできるだけ近接して配置されることが好ましい。特に、部材２００がタッチパネルの機
能を有する場合、表示パネル１００と部材２００とはできるだけ近接して配置されること
が好ましい。しかしながら、図３（Ｄ）等のように、表示パネル１００を折り曲げない状
態において、表示パネル１００と部材２００との間に配置されるように支持部を設ける場
合、支持部の分、表示パネル１００と部材２００との間隔がひらく。そこで、部材２００
の支持部と接する領域を他の領域よりも薄くしてもよい。図３（Ｄ）の表示装置の断面図
に対応する、表示装置の上面図を図４（Ａ）に示す。図４（Ａ）において、図１や図３（
Ｄ）と同じ部分は同じ符号を用いて示す。なお、支持部３７ｂは、支持部３７ａに対向す
る支持部である。支持部３４ｃは、支持部３４ａに対向する支持部である。支持部３４ｄ
は、支持部３４ｂに対向する支持部である。図４（Ａ）のように、部材２００において、
固定部３０ａや巻き取り部３１に接続されていない２辺に沿った領域４００ａと領域４０
０ｂとを、他の領域よりも薄くしてもよい。例えば、支持部３７ａ、支持部３７ｂ、支持
部３４ａ、支持部３４ｂ、支持部３４ｃ、支持部３４ｄの厚さ分、領域４００ａと領域４
００ｂとを、他の領域よりも薄くしてもよい。また例えば、図３（Ａ）の表示装置の断面
図に対応する、表示装置の上面図である図４（Ｂ）のように、部材２００において、支持
部３３ａの周辺の領域４０１ａと、支持部３３ｂの周辺の領域４０１ｂと、支持部３３ｃ
の周辺の領域４０１ｃと、支持部３３ｄの周辺の領域４０１ｄとを、他の領域よりも薄く
してもよい。領域４００ａ、領域４００ｂ、領域４０１ａ、領域４０１ｂ、領域４０１ｃ
、領域４０１ｄは、表示パネル１００の周縁領域と重なるように設けることができる。こ
うして、表示パネル１００の表示領域（画素部）と、部材２００とをできるだけ近接して
配置させつつ、部材２００と表示パネル１００とが擦れあうことによる不良を低減するこ
とができる。
【００４５】
なお、本実施の形態は、本明細書で示す他の実施の形態と適宜組み合わせることができる
。
【００４６】
（実施の形態３）
本実施の形態では、表示パネル１００の折り曲げを補助する部材の一態様を示す。説明に
は、図５及び図６を用いる。図５及び図６において、図１、図２と同じ部分は説明を省略
する。
【００４７】
図１や図２等において、各屈折部に１つずつヒンジを設ける例を示したがこれに限定され
ない。各屈折部において複数のヒンジを配置してもよい。例えば、図５（Ａ）に示すよう
に、各屈折部に２つずつヒンジを配置することができる。図５（Ａ）において、屈折部１
０ａには、ヒンジ２１ａとヒンジ２１ｂとが設けられている。屈折部１１ａには、ヒンジ
２２ａとヒンジ２２ｂとが設けられている。例えば、図５（Ｃ）に示すように、各屈折部
に３つずつヒンジを配置することができる。図５（Ｃ）において、屈折部１０ａには、ヒ
ンジ２３ａとヒンジ２３ｂとヒンジ２３ｃとが設けられている。屈折部１１ａには、ヒン
ジ２４ａとヒンジ２４ｂとヒンジ２４ｃとが設けられている。
【００４８】
このように、各屈折部において複数のヒンジを配置する場合、複数のヒンジの間隔を制御
する等して、図５（Ｂ）や図５（Ｄ）のように表示装置を折り畳んだ際に、表示パネル１
００の折り曲げ部分の曲率半径をより制御しやすくすることができる。こうして、表示パ
ネル１００の不良を抑制しつつ、表示装置をできるだけコンパクトに折り畳むことが可能
となる。
【００４９】
なお、各屈折部において複数のヒンジを配置する構成と、実施の形態２で示した支持部を
設ける構成とを組み合わせることができる。図６（Ａ）及び図６（Ｂ）は、図５（Ａ）及
び図５（Ｂ）において、支持部３５ａ、支持部３５ｂ、支持部３５ｃ、支持部３５ｄを設
けた構成に相当する。なお、実際には、対向する側のアームにも、同様に支持部を設ける
。各屈折部に設けられた複数のヒンジの間隔を制御し、更に、各屈折部や各ヒンジに設け
られた支持部の間隔を制御することによって、表示パネル１００の折り曲げ部分の曲率半
径をより制御しやすくすることができる。こうして、表示パネル１００の不良を抑制しつ
つ、表示装置をできるだけコンパクトに折り畳むことが可能となる。
【００５０】
なお、本実施の形態は、本明細書で示す他の実施の形態と適宜組み合わせることができる
。
【００５１】
（実施の形態４）
本実施の形態では、本発明の一態様の表示装置に適用することができる折り曲げ可能な（
フレキシブルな）表示パネル１００の構成について、図９を参照しながら説明する。
【００５２】
なお、本実施の形態で説明する表示パネル１００は、発光素子と撮像素子を有し、画像情
報を表示する表示パネルとして機能するだけでなく、情報の入力手段として用いることが
できる。そのため、本実施の形態では、表示パネル１００を入出力装置と言い換えて説明
する。
【００５３】
図９（Ａ）は本発明の一態様の表示装置に適用可能な入出力装置の構造を説明する上面図
である。
【００５４】
図９（Ｂ）は図９（Ａ）の切断線Ａ−Ｂおよび切断線Ｃ−Ｄにおける断面図である。
【００５５】
図９（Ｃ）は図９（Ａ）の切断線Ｅ−Ｆにおける断面図である。
【００５６】
＜上面図の説明＞
本実施の形態で例示する入出力装置３００は表示部３０１を有する（図９（Ａ）参照）。
【００５７】
表示部３０１は、複数の画素３０２と複数の撮像画素３０８を備える。撮像画素３０８は
表示部３０１に触れる指等を検知することができる。この機能により、撮像画素３０８を
用いてタッチセンサを構成することができる。
【００５８】
画素３０２は、複数の副画素（例えば副画素３０２Ｒ）を備え、副画素は発光素子および
発光素子を駆動する電力を供給することができる画素回路を備える。
【００５９】
画素回路は、選択信号を供給することができる配線および画像信号を供給することができ
る配線と、電気的に接続される。
【００６０】
また、入出力装置３００は選択信号を画素３０２に供給することができる走査線駆動回路
３０３ｇと、画像信号を画素３０２に供給することができる画像信号線駆動回路３０３ｓ
を備える。
【００６１】
撮像画素３０８は、光電変換素子および光電変換素子を駆動する撮像画素回路を備える。
【００６２】
撮像画素回路は、制御信号を供給することができる配線および電源電位を供給することが
できる配線と電気的に接続される。
【００６３】
制御信号としては、例えば記録された撮像信号を読み出す撮像画素回路を選択することが
できる信号、撮像画素回路を初期化することができる信号、および撮像画素回路が光を検
知する時間を決定することができる信号などを挙げることができる。
【００６４】
入出力装置３００は制御信号を撮像画素３０８に供給することができる撮像画素駆動回路
３０３ｇｐと、撮像信号を読み出す撮像信号線駆動回路３０３ｓｐを備える。
【００６５】
＜断面図の説明＞
入出力装置３００は、基板３１０および基板３１０に対向する対向基板３７０を有する（
図９（Ｂ）参照）。
【００６６】
基板３１０は、可撓性を有する基板３１０ｂ、意図しない不純物の発光素子への拡散を防
ぐバリア膜３１０ａおよび基板３１０ｂとバリア膜３１０ａを貼り合わせる接着層３１０
ｃが積層された積層体である。
【００６７】
対向基板３７０は、可撓性を有する基板３７０ｂ、意図しない不純物の発光素子への拡散
を防ぐバリア膜３７０ａおよび基板３７０ｂとバリア膜３７０ａを貼り合わせる接着層３
７０ｃの積層体である（図９（Ｂ）参照）。
【００６８】
封止材３６０は対向基板３７０と基板３１０を貼り合わせている。また、封止材３６０は
空気より大きい屈折率を備え、光学接合層を兼ねる。画素回路および発光素子（例えば発
光素子３５０Ｒ）は基板３１０と対向基板３７０の間にある。
【００６９】
《画素の構成》
画素３０２は、副画素３０２Ｒ、副画素３０２Ｇおよび副画素３０２Ｂを有する（図９（
Ｃ）参照）。また、副画素３０２Ｒは発光モジュール３８０Ｒを備え、副画素３０２Ｇは
発光モジュール３８０Ｇを備え、副画素３０２Ｂは発光モジュール３８０Ｂを備える。
【００７０】
例えば副画素３０２Ｒは、発光素子３５０Ｒおよび発光素子３５０Ｒに電力を供給するこ
とができるトランジスタ３０２ｔを含む画素回路を備える（図９（Ｂ）参照）。また、発
光モジュール３８０Ｒは発光素子３５０Ｒおよび光学素子（例えば着色層３６７Ｒ）を備
える。
【００７１】
発光素子３５０Ｒは、下部電極３５１Ｒ、上部電極３５２、下部電極３５１Ｒと上部電極
３５２の間に発光性の有機化合物を含む層３５３を有する（図９（Ｃ）参照）。
【００７２】
発光性の有機化合物を含む層３５３は、発光ユニット３５３ａ、発光ユニット３５３ｂお
よび発光ユニット３５３ａと発光ユニット３５３ｂの間に中間層３５４を備える。
【００７３】
発光モジュール３８０Ｒは、着色層３６７Ｒを対向基板３７０上に有する。着色層は特定
の波長を有する光を透過するものであればよく、例えば赤色、緑色または青色等を呈する
光を選択的に透過するものを用いることができる。または、発光素子の発する光をそのま
ま透過する領域を設けてもよい。例えば、図１２に示すように、着色層を設けず、各画素
の発光素子がそれぞれ異なる色で発光してもよい。
【００７４】
例えば、発光モジュール３８０Ｒは、発光素子３５０Ｒと着色層３６７Ｒに接する封止材
３６０を有する。
【００７５】
着色層３６７Ｒは発光素子３５０Ｒと重なる位置にある。これにより、発光素子３５０Ｒ
が発する光の一部は、光学接合層を兼ねる封止材３６０および着色層３６７Ｒを透過して
、図中の矢印に示すように発光モジュール３８０Ｒの外部に射出される。
【００７６】
《表示パネルの構成》
入出力装置３００は、遮光層３６７ＢＭを対向基板３７０に有する。遮光層３６７ＢＭは
、着色層（例えば着色層３６７Ｒ）を囲むように設けられている。
【００７７】
入出力装置３００は、反射防止層３６７ｐを表示部３０１に重なる位置に備える。反射防
止層３６７ｐとして、例えば円偏光板を用いることができる。
【００７８】
入出力装置３００は、絶縁膜３２１を備える。絶縁膜３２１はトランジスタ３０２ｔを覆
っている。なお、絶縁膜３２１は画素回路に起因する凹凸を平坦化するための層として用
いることができる。また、不純物のトランジスタ３０２ｔ等への拡散を抑制することがで
きる層が積層された絶縁膜を、絶縁膜３２１に適用することができる。
【００７９】
入出力装置３００は、発光素子（例えば発光素子３５０Ｒ）を絶縁膜３２１上に有する。
【００８０】
入出力装置３００は、下部電極３５１Ｒの端部に重なる隔壁３２８を絶縁膜３２１上に有
する（図９（Ｃ）参照）。また、基板３１０と対向基板３７０の間隔を制御するスペーサ
３２９を、隔壁３２８上に有する。
【００８１】
《画像信号線駆動回路の構成》
画像信号線駆動回路３０３ｓは、トランジスタ３０３ｔおよび容量３０３ｃを含む。なお
、駆動回路は画素回路と同一の工程で同一基板上に形成することができる。
【００８２】
《撮像画素の構成》
撮像画素３０８は、光電変換素子３０８ｐおよび光電変換素子３０８ｐに照射された光を
検知するための撮像画素回路を備える。また、撮像画素回路は、トランジスタ３０８ｔを
含む。
【００８３】
例えばｐｉｎ型のフォトダイオードを光電変換素子３０８ｐに用いることができる。
【００８４】
《他の構成》
入出力装置３００は、信号を供給することができる配線３１１を備え、端子３１９が配線
３１１に設けられている。なお、画像信号および同期信号等の信号を供給することができ
るＦＰＣ３０９が端子３１９に電気的に接続されている。
【００８５】
なお、ＦＰＣ３０９にはプリント配線基板（ＰＷＢ）が取り付けられていても良い。
【００８６】
なお、本実施の形態は、本明細書で示す他の実施の形態と適宜組み合わせることができる
。
【００８７】
（実施の形態５）
本実施の形態では、本発明の一態様の表示装置に適用することができる折り曲げ可能な表
示パネル１００（フレキシブルな表示パネル１００、可撓性を有する表示パネル１００、
ともいう。）の構成について、図１０及び図１１を参照しながら説明する。
【００８８】
なお、本実施の形態で説明する表示パネル１００は、画像情報を表示する表示パネルとし
て機能するだけでなく、情報の入力手段として用いることができる。そのため、本実施の
形態では、表示パネル１００をタッチパネルと言い換えて説明する。
【００８９】
図１０（Ａ）は、本実施の形態で例示するタッチパネル５００の斜視図である。なお明瞭
化のため、代表的な構成要素を図１０に示す。図１０（Ｂ）は、タッチパネル５００を展
開した斜視図である。
【００９０】
図１１は、図１０（Ａ）に示すタッチパネル５００のＸ１−Ｘ２における断面図である。
【００９１】
タッチパネル５００は、表示部５０１とタッチセンサ５９５を備える（図１０（Ｂ）参照
）。また、タッチパネル５００は、基板５１０、基板５７０および基板５９０を有する。
なお、基板５１０、基板５７０および基板５９０はいずれも可撓性を有する。
【００９２】
表示部５０１は、基板５１０、基板５１０上に複数の画素および当該画素に信号を供給す
ることができる複数の配線５１１を備える。複数の配線５１１は、基板５１０の外周部に
まで引き回され、その一部が端子５１９を構成している。端子５１９はＦＰＣ５０９ａと
電気的に接続する。
【００９３】
＜タッチセンサ＞
基板５９０には、タッチセンサ５９５と、タッチセンサ５９５と電気的に接続する複数の
配線５９８を備える。複数の配線５９８は基板５９０の外周部に引き回され、その一部は
端子を構成する。そして、当該端子はＦＰＣ５０９ｂと電気的に接続される。なお、図１
０（Ｂ）では明瞭化のため、基板５９０の裏面側（紙面奥側）に設けられるタッチセンサ
５９５の電極や配線等を実線で示している。
【００９４】
タッチセンサ５９５として、例えば静電容量方式のタッチセンサを適用できる。静電容量
方式としては、表面型静電容量方式、投影型静電容量方式等がある。
【００９５】
投影型静電容量方式としては、主に駆動方式の違いから自己容量方式、相互容量方式など
がある。相互容量方式を用いると同時多点検出が可能となるため好ましい。
【００９６】
以下では、投影型静電容量方式のタッチセンサを適用する場合について、図１０（Ｂ）を
用いて説明する。
【００９７】
なお、指等の検知対象の近接または接触を検知することができるさまざまなセンサを適用
することができる。
【００９８】
投影型静電容量方式のタッチセンサ５９５は、第１の電極５９１と第２の電極５９２を有
する。第１の電極５９１は複数の配線５９８のいずれかと電気的に接続し、第２の電極５
９２は複数の配線５９８の他のいずれかと電気的に接続する。
【００９９】
第２の電極５９２は、図１０（Ａ）、（Ｂ）に示すように、一方向に繰り返し配置された
複数の四辺形が角部で接続された形状を有する。
【０１００】
第１の電極５９１は四辺形であり、第２の電極５９２が延在する方向と交差する方向に繰
り返し配置されている。
【０１０１】
配線５９４は、第２の電極５９２の１つを挟む２つの第１の電極５９１を電気的に接続す
る。このとき、第２の電極５９２と配線５９４の交差部の面積ができるだけ小さくなる形
状が好ましい。これにより、電極が設けられていない領域の面積を低減でき、透過率のム
ラを低減できる。その結果、タッチセンサ５９５を透過する光の輝度ムラを低減すること
ができる。
【０１０２】
なお、第１の電極５９１、第２の電極５９２の形状はこれに限られず、様々な形状を取り
うる。例えば、帯状の複数の第１の電極をできるだけ隙間が生じないように配置し、絶縁
層を介して帯状の複数の第２の電極を第１の電極と交差するよう配置する。このとき、隣
接する２つの第２の電極は離間して設ける構成としてもよい。さらに、隣接する２つの第
２の電極の間に、これらとは電気的に絶縁されたダミー電極を設けると、透過率の異なる
領域の面積を低減できるため好ましい。
【０１０３】
タッチセンサ５９５の構成を、図１１を用いて説明する。
【０１０４】
タッチセンサ５９５は、基板５９０、基板５９０上に千鳥状に配置された第１の電極５９
１及び第２の電極５９２、第１の電極５９１及び第２の電極５９２を覆う絶縁層５９３並
びに隣り合う第１の電極５９１を電気的に接続する配線５９４を備える。
【０１０５】
接着層５９７は、図１０（Ｂ）に示すようにタッチセンサ５９５が表示部５０１に重なる
ように、基板５９０を基板５７０に貼り合わせている。
【０１０６】
第１の電極５９１及び第２の電極５９２は、透光性を有する導電材料を用いて形成する。
透光性を有する導電性材料としては、酸化インジウム、インジウム錫酸化物、インジウム
亜鉛酸化物、酸化亜鉛、ガリウムを添加した酸化亜鉛などの導電性酸化物を用いることが
できる。
【０１０７】
透光性を有する導電性材料を基板５９０上にスパッタリング法により成膜した後、フォト
リソグラフィ法等の様々なパターニング技術により、不要な部分を除去して、第１の電極
５９１及び第２の電極５９２を形成することができる。
【０１０８】
また、絶縁層５９３は第１の電極５９１及び第２の電極５９２を覆う。絶縁層５９３に用
いる材料としては、例えば、アクリル、エポキシなどの樹脂、シロキサン結合を有する樹
脂の他、酸化シリコン、酸化窒化シリコン、酸化アルミニウムなどの無機絶縁材料を用い
ることもできる。
【０１０９】
また、第１の電極５９１に達する開口が絶縁層５９３に設けられ、配線５９４が隣接する
第１の電極５９１を電気的に接続する。透光性の導電性材料を用いて形成された配線５９
４は、タッチパネルの開口率を高めることができるため好ましい。また、第１の電極５９
１及び第２の電極５９２より導電性の高い材料を配線５９４に用いることが好ましい。
【０１１０】
第２の電極５９２のそれぞれは一方向に延在し、複数の第２の電極５９２がストライプ状
に設けられている。
【０１１１】
配線５９４は第２の電極５９２の１つと交差して設けられている。
【０１１２】
一対の第１の電極５９１が第２の電極５９２の１つを挟んで設けられ、配線５９４に電気
的に接続されている。
【０１１３】
なお、複数の第１の電極５９１は、第２の電極５９２の１つと必ずしも直交する方向に配
置される必要はない。
【０１１４】
配線５９８は、第１の電極５９１又は第２の電極５９２と電気的に接続される。配線５９
８の一部は、端子として機能する。配線５９８としては、例えば、アルミニウム、金、白
金、銀、ニッケル、チタン、タングステン、クロム、モリブデン、鉄、コバルト、銅、又
はパラジウム等の金属材料や、該金属材料を含む合金材料を用いることができる。
【０１１５】
なお、絶縁層５９３及び配線５９４を覆う絶縁層を設けて、タッチセンサ５９５を保護す
ることができる。
【０１１６】
また、接続層５９９は、配線５９８とＦＰＣ５０９ｂを電気的に接続する。
【０１１７】
接続層５９９としては、様々な異方性導電フィルム（ＡＣＦ：Ａｎｉｓｏｔｒｏｐｉｃ  
Ｃｏｎｄｕｃｔｉｖｅ  Ｆｉｌｍ）や、異方性導電ペースト（ＡＣＰ：Ａｎｉｓｏｔｒｏ
ｐｉｃ  Ｃｏｎｄｕｃｔｉｖｅ  Ｐａｓｔｅ）などを用いることができる。
【０１１８】
接着層５９７は、透光性を有する。例えば、熱硬化性樹脂や紫外線硬化樹脂を用いること
ができ、具体的には、アクリル、ウレタン、エポキシ、またはシロキサン結合を有する樹
脂などの樹脂を用いることができる。
【０１１９】
＜表示部＞
表示部５０１は、マトリクス状に配置された複数の画素を備える。画素は表示素子と表示
素子を駆動する画素回路を備える。
【０１２０】
本実施の形態では、白色の有機エレクトロルミネッセンス素子を表示素子に適用する場合
について説明するが、表示素子はこれに限られない。
【０１２１】
例えば、表示素子として、有機エレクトロルミネッセンス素子の他、電気泳動方式や電子
粉流体方式などにより表示を行う表示素子（電子インクともいう）、シャッター方式のＭ
ＥＭＳ表示素子、光干渉方式のＭＥＭＳ表示素子など、様々な表示素子を用いることがで
きる。なお、適用する表示素子に好適な画素回路を、様々な構成から選択して用いること
ができる。
【０１２２】
基板５１０は、可撓性を有する基板５１０ｂ、意図しない不純物の発光素子への拡散を防
ぐバリア膜５１０ａおよび基板５１０ｂとバリア膜５１０ａを貼り合わせる接着層５１０
ｃが積層された積層体である。
【０１２３】
基板５７０は、可撓性を有する基板５７０ｂ、意図しない不純物の発光素子への拡散を防
ぐバリア膜５７０ａおよび基板５７０ｂとバリア膜５７０ａを貼り合わせる接着層５７０
ｃの積層体である。
【０１２４】
封止材５６０は基板５７０と基板５１０を貼り合わせている。また、封止材５６０は空気
より大きい屈折率を備え、光学接合層を兼ねる。画素回路および発光素子（例えば発光素
子５５０Ｒ）は基板５１０と基板５７０の間にある。
【０１２５】
《画素の構成》
画素は、副画素５０２Ｒを含み、副画素５０２Ｒは発光モジュール５８０Ｒを備える。
【０１２６】
副画素５０２Ｒは、発光素子５５０Ｒおよび発光素子５５０Ｒに電力を供給することがで
きるトランジスタ５０２ｔを含む画素回路を備える。また、発光モジュール５８０Ｒは発
光素子５５０Ｒおよび光学素子（例えば着色層５６７Ｒ）を備える。
【０１２７】
発光素子５５０Ｒは、下部電極、上部電極、下部電極と上部電極の間に発光性の有機化合
物を含む層を有する。
【０１２８】
発光モジュール５８０Ｒは、着色層５６７Ｒを基板５７０に有する。着色層は特定の波長
を有する光を透過するものであればよく、例えば赤色、緑色または青色等を呈する光を選
択的に透過するものを用いることができる。または、発光素子の発する光をそのまま透過
する領域を設けてもよい。
【０１２９】
発光モジュール５８０Ｒは、発光素子５５０Ｒと着色層５６７Ｒに接する封止材５６０を
有する。
【０１３０】
着色層５６７Ｒは発光素子５５０Ｒと重なる位置にある。これにより、発光素子５５０Ｒ
が発する光の一部は、光学接合層を兼ねる封止材５６０および着色層５６７Ｒを透過して
、図中の矢印に示すように発光モジュール５８０Ｒの外部に射出される。
【０１３１】
《表示部の構成》
表示部５０１は、遮光層５６７ＢＭを基板５７０に有する。遮光層５６７ＢＭは、着色層
（例えば着色層５６７Ｒ）を囲むように設けられている。
【０１３２】
表示部５０１は、反射防止層５６７ｐを画素に重なる位置に備える。反射防止層５６７ｐ
として、例えば円偏光板を用いることができる。
【０１３３】
表示部５０１は、絶縁膜５２１を備える。絶縁膜５２１はトランジスタ５０２ｔを覆って
いる。なお、絶縁膜５２１は画素回路に起因する凹凸を平坦化するための層として用いる
ことができる。また、不純物のトランジスタ５０２ｔ等への拡散を抑制することができる
層が積層された絶縁膜を、絶縁膜５２１に適用することができる。
【０１３４】
表示部５０１は、発光素子（例えば発光素子５５０Ｒ）を絶縁膜５２１上に有する。
【０１３５】
表示部５０１は、下部電極の端部に重なる隔壁５２８を絶縁膜５２１上に有する。また、
基板５１０と基板５７０の間隔を制御するスペーサを、隔壁５２８上に有する。
【０１３６】
《画像信号線駆動回路の構成》
画像信号線駆動回路５０３ｓは、トランジスタ５０３ｔおよび容量５０３ｃを含む。なお
、駆動回路は画素回路と同一の工程で同一基板上に形成することができる。
【０１３７】
《他の構成》
表示部５０１は、信号を供給することができる配線５１１を備え、端子５１９が配線５１
１に設けられている。なお、画像信号および同期信号等の信号を供給することができるＦ
ＰＣ５０９ａが端子５１９に電気的に接続されている。
【０１３８】
なお、ＦＰＣ５０９ａにはプリント配線基板（ＰＷＢ）が取り付けられていても良い。
【０１３９】
なお、画素部において、トランジスタを有さない構成とすることも可能である。つまり、
パッシブマトリクス型の表示装置を用いることも可能である。また、画素を有しておらず
、全面で発光するような照明装置を用いることも可能である。
【０１４０】
なお、本実施の形態は、本明細書で示す他の実施の形態と適宜組み合わせることができる
。
【０１４１】
（実施の形態６）
本実施の形態では、本発明の一態様の表示装置を有する電子機器について、例を示す。
【０１４２】
図１３（Ａ）および図１３（Ｂ）は、折り畳み可能なタブレット型端末９６００を例示し
ている。なお、ここでは、２つ折りの例を示したが、３つ折りや４つ折りなど、折り数の
多いものに対しても適用できる。図１３（Ａ）は、タブレット型端末９６００を開いた状
態であり、タブレット型端末９６００は、筐体９６３０、表示部９６３１、表示モード切
り替えスイッチ９６２６、電源スイッチ９６２７、省電力モード切り替えスイッチ９６２
５、留め具９６２９、操作スイッチ９６２８、を有する。
【０１４３】
筐体９６３０は、筐体９６３０ａと筐体９６３０ｂを有し、筐体９６３０ａと筐体９６３
０ｂは、ヒンジ部９６３９により結合されている。また、筐体９６３０は、ヒンジ部９６
３９により２つ折り可能となっている。
【０１４４】
また、表示部９６３１、筐体９６３０ａ、筐体９６３０ｂ、およびヒンジ部９６３９とし
て、本明細書等に開示した表示装置を用いることにより、折り畳み可能で、信頼性の高い
タブレット型端末とすることが可能となる。
【０１４５】
表示部９６３１は、一部をタッチパネルの領域９６３２とすることができ、表示された操
作キー９６３８にふれることでデータ入力をすることができる。なお、表示部９６３１は
、例えば、半分の領域が表示のみの機能を有する構成とし、もう半分の領域をタッチパネ
ルの機能を有する構成とすることができる。また、表示部９６３１全ての領域がタッチパ
ネルの機能を有する構成としても良い。例えば、表示部９６３１の全面にキーボードボタ
ン表示させて、データ入力端末とすることもできる。
【０１４６】
また、表示モード切り替えスイッチ９６２６は、縦表示又は横表示などの表示の向きの切
り替えや、白黒表示やカラー表示の切り替えなどを選択できる。省電力モード切り替えス
イッチ９６２５は、タブレット型端末に内蔵している光センサで検出される使用時の外光
の光量に応じて表示の輝度を最適なものとすることができる。タブレット型端末は光セン
サだけでなく、ジャイロ、加速度センサ等の傾きを検出するセンサなどの他の検出装置を
内蔵させてもよい。
【０１４７】
図１３（Ｂ）は、タブレット型端末９６００を閉じた状態であり、タブレット型端末９６
００は、筐体９６３０、太陽電池９６３３、充放電制御回路９６３４を有する。なお、図
１３（Ｂ）では充放電制御回路９６３４の一例としてバッテリー９６３５、ＤＣＤＣコン
バータ９６３６を有する構成について示している。
【０１４８】
本明細書等に開示した表示装置を用いることにより、表示部９６３１を折りたたむことが
できる。例えば、タブレット型端末９６００は２つ折り可能なため、未使用時に筐体９６
３０を閉じた状態にすることができる。従って、筐体９６３０を閉じることで表示部９６
３１を保護できるため、耐久性及び可搬性に優れ、長期使用の観点からも信頼性の優れた
タブレット型端末とすることができる。
【０１４９】
また、この他にも図１３（Ａ）及び図１３（Ｂ）に示したタブレット型端末は、様々な情
報（静止画、動画、テキスト画像など）を表示する機能、カレンダー、日付又は時刻など
を表示部に表示する機能、表示部に表示した情報をタッチ入力操作又は編集するタッチ入
力機能、様々なソフトウェア（プログラム）によって処理を制御する機能、等を有するこ
とができる。
【０１５０】
タブレット型端末の表面に装着された太陽電池９６３３によって、電力をタッチパネル、
表示部、又は映像信号処理部等に供給することができる。なお、太陽電池９６３３は、筐
体９６３０の片面又は両面に設けることができ、バッテリー９６３５の充電を効率的に行
う構成とすることができる。なおバッテリー９６３５としては、リチウムイオン電池を用
いると、小型化を図れる等の利点がある。
【０１５１】
また、図１３（Ｂ）に示す充放電制御回路９６３４の構成、及び動作について図１３（Ｃ
）にブロック図を示し説明する。図１３（Ｃ）には、太陽電池９６３３、バッテリー９６
３５、ＤＣＤＣコンバータ９６３６、コンバータ９６３７、スイッチＳＷ１乃至ＳＷ３、
表示部９６３１について示しており、バッテリー９６３５、ＤＣＤＣコンバータ９６３６
、コンバータ９６３７、スイッチＳＷ１乃至ＳＷ３が、図１３（Ｂ）に示す充放電制御回
路９６３４に対応する箇所となる。
【０１５２】
まず外光により太陽電池９６３３により発電がされる場合の動作の例について説明する。
太陽電池で発電した電力は、バッテリー９６３５を充電するための電圧となるようＤＣＤ
Ｃコンバータ９６３６で昇圧又は降圧がなされる。そして、表示部９６３１の動作に太陽
電池９６３３からの電力が用いられる際にはスイッチＳＷ１をオンにし、コンバータ９６
３７で表示部９６３１に必要な電圧に昇圧又は降圧をすることとなる。また、表示部９６
３１での表示を行わない際には、ＳＷ１をオフにし、ＳＷ２をオンにしてバッテリー９６
３５の充電を行う構成とすればよい。
【０１５３】
なお太陽電池９６３３については、発電手段の一例として示したが、特に限定されず、圧
電素子（ピエゾ素子）や熱電変換素子（ペルティエ素子）などの他の発電手段によるバッ
テリー９６３５の充電を行う構成であってもよい。例えば、無線（非接触）で電力を送受
信して充電する無接点電力伝送モジュールや、また他の充電手段を組み合わせて行う構成
としてもよい。
【０１５４】
なお、本実施の形態は、本明細書で示す他の実施の形態と適宜組み合わせることができる
。
【符号の説明】
【０１５５】
１ａ    アーム
１ｂ    アーム
２ａ    アーム
２ｂ    アーム
３ａ    アーム
３ｂ    アーム
１０ａ    屈折部
１０ｂ    屈折部
１１ａ    屈折部
１１ｂ    屈折部
２０ａ    ヒンジ
２０ｂ    ヒンジ
２０ｃ    ヒンジ
２０ｄ    ヒンジ
２１ａ    ヒンジ
２１ｂ    ヒンジ
２２ａ    ヒンジ
２２ｂ    ヒンジ
２３ａ    ヒンジ
２３ｂ    ヒンジ
２３ｃ    ヒンジ
２４ａ    ヒンジ
２４ｂ    ヒンジ
２４ｃ    ヒンジ
３０ａ    固定部
３０ｂ    固定部
３１    巻き取り部
３３ａ    支持部
３３ｂ    支持部
３３ｃ    支持部
３３ｄ    支持部
３４ａ    支持部
３４ｂ    支持部
３４ｃ    支持部
３４ｄ    支持部
３５ａ    支持部
３５ｂ    支持部
３５ｃ    支持部
３５ｄ    支持部
３６ａ    間隔
３６ｂ    間隔
３７ａ    支持部
３７ｂ    支持部
１００    表示パネル
２００    部材
３００    入出力装置
３０１    表示部
３０２    画素
３０２Ｂ    副画素
３０２Ｇ    副画素
３０２Ｒ    副画素
３０２ｔ    トランジスタ
３０３ｃ    容量
３０３ｇｐ    撮像画素駆動回路
３０３ｇ    走査線駆動回路
３０３ｓ    画像信号線駆動回路
３０３ｓｐ    撮像信号線駆動回路
３０３ｔ    トランジスタ
３０８    撮像画素
３０８ｐ    光電変換素子
３０８ｔ    トランジスタ
３０９    ＦＰＣ
３１０    基板
３１０ａ    バリア膜
３１０ｂ    基板
３１０ｃ    接着層
３１１    配線
３１９    端子
３２１    絶縁膜
３２８    隔壁
３２９    スペーサ
３５０Ｒ    発光素子
３５１Ｒ    下部電極
３５２    上部電極
３５３    層
３５３ａ    発光ユニット
３５３ｂ    発光ユニット
３５４    中間層
３６０    封止材
３６７ＢＭ    遮光層
３６７ｐ    反射防止層
３６７Ｒ    着色層
３７０    対向基板
３７０ａ    バリア膜
３７０ｂ    基板
３７０ｃ    接着層
３８０Ｂ    発光モジュール
３８０Ｇ    発光モジュール
３８０Ｒ    発光モジュール
４００ａ    領域
４００ｂ    領域
４０１ａ    領域
４０１ｂ    領域
４０１ｃ    領域
４０１ｄ    領域
５００    タッチパネル
５０１    表示部
５０２Ｒ    副画素
５０２ｔ    トランジスタ
５０３ｃ    容量
５０３ｓ    画像信号線駆動回路
５０３ｔ    トランジスタ
５０９ａ    ＦＰＣ
５０９ｂ    ＦＰＣ
５１０    基板
５１０ａ    バリア膜
５１０ｂ    基板
５１０ｃ    接着層
５１１    配線
５１９    端子
５２１    絶縁膜
５２８    隔壁
５５０Ｒ    発光素子
５６０    封止材
５６７ＢＭ    遮光層
５６７ｐ    反射防止層
５６７Ｒ    着色層
５７０    基板
５７０ａ    バリア膜
５７０ｂ    基板
５７０ｃ    接着層
５８０Ｒ    発光モジュール
５９０    基板
５９１    第１の電極
５９２    第２の電極
５９３    絶縁層
５９４    配線
５９５    タッチセンサ
５９７    接着層
５９８    配線
５９９    接続層
７００    制御回路
９６００    タブレット型端末
９６２５    スイッチ
９６２６    スイッチ
９６２７    電源スイッチ
９６２８    操作スイッチ
９６２９    留め具
９６３０    筐体
９６３０ａ    筐体
９６３０ｂ    筐体
９６３１    表示部
９６３２    領域
９６３３    太陽電池
９６３４    充放電制御回路
９６３５    バッテリー
９６３６    ＤＣＤＣコンバータ
９６３７    コンバータ
９６３８    操作キー
９６３９    ヒンジ部
【図１】
2020013163.tif 000003
【図２】
2020013163.tif 000004
【図３】
2020013163.tif 000005
【図４】
2020013163.tif 000006
【図５】
2020013163.tif 000007
【図６】
2020013163.tif 000008
【図７】
2020013163.tif 000009
【図８】
2020013163.tif 000010
【図９】
2020013163.tif 000011
【図１０】
2020013163.tif 000012
【図１１】
2020013163.tif 000013
【図１２】
2020013163.tif 000014
【図１３】
2020013163.tif 000015